(57)【特許請求の範囲】
【請求項１】
質問信号を生成する送信部と、
上記質問信号を送信するとともに、上記質問信号のエコーおよび上記質問信号に呼応したＳＡＲＴからの応答信号を受信する空中線部と、
上記応答信号の周波数帯域から上記質問信号の周波数帯域を抑圧した抑圧後応答信号を生成して出力するフィルタ部と、
上記質問信号のエコーおよび上記抑圧後応答信号を増幅・検波する受信部と、
上記送信部が生成した上記質問信号を上記空中線部へ出力するとともに、上記空中線部が受信した上記応答信号を上記フィルタ部へ出力するサーキュレータ部と、
上記フィルタ部からの抑圧後応答信号の電力レベルを低下する固定減衰器を上記サーキュレータ部と上記受信部との間に備えるとともに、
上記受信部は、上記固定減衰器を通過した受信信号と、上記フィルタ部が出力した抑圧後応答信号とを合成することを特徴とするレーダ装置。
【請求項２】
質問信号を生成する送信部と、
上記質問信号を送信するとともに、上記質問信号のエコーおよび上記質問信号に呼応したＳＡＲＴからの応答信号を受信する空中線部と、
上記応答信号の周波数帯域から上記質問信号の周波数帯域を抑圧した抑圧後応答信号を生成して出力するフィルタ部と、
上記質問信号のエコーおよび上記抑圧後応答信号を増幅・検波する受信部と、
上記送信部が生成した上記質問信号を上記空中線部へ出力するとともに、上記空中線部が受信した上記応答信号を上記フィルタ部へ出力するサーキュレータ部と、
上記フィルタ部は、抑圧後応答信号の受信部処理帯域以外の周波数帯域を抑圧し、上記フィルタ部からの抑圧後応答信号の電力レベルを低下する固定減衰器を上記サーキュレータ部と上記受信部との間に備えるとともに、
上記受信部は、上記固定減衰器を通過した受信信号と、上記フィルタ部が出力した抑圧後応答信号とを合成することを特徴とするレーダ装置。
【請求項３】
質問信号を生成する送信部と、
上記質問信号を送信するとともに、上記質問信号のエコーおよび上記質問信号に呼応したＳＡＲＴからの応答信号を受信する空中線部と、
上記応答信号の周波数帯域から上記質問信号の周波数帯域を抑圧した抑圧後応答信号を生成して出力するフィルタ部と、
上記質問信号のエコーおよび上記抑圧後応答信号を増幅・検波する受信部と、
上記送信部が生成した上記質問信号を上記空中線部へ出力するとともに、上記空中線部が受信した上記応答信号を上記フィルタ部へ出力するサーキュレータ部と、
上記フィルタ部からの抑圧後応答信号の電力レベルを調整して低下する可変減衰器を上記サーキュレータ部と上記受信部との間に備えるとともに、
上記受信部は、上記可変減衰器を通過した受信信号と、上記フィルタ部が出力した抑圧後応答信号とを合成することを特徴とするレーダ装置。
【請求項４】
質問信号を生成する送信部と、
上記質問信号を送信するとともに、上記質問信号のエコーおよび上記質問信号に呼応したＳＡＲＴからの応答信号を受信する空中線部と、
上記応答信号の周波数帯域から上記質問信号の周波数帯域を抑圧した抑圧後応答信号を生成して出力するフィルタ部と、
上記質問信号のエコーおよび上記抑圧後応答信号を増幅・検波する受信部と、
上記送信部が生成した上記質問信号を上記空中線部へ出力するとともに、上記空中線部が受信した上記応答信号を上記フィルタ部へ出力するサーキュレータ部と、
上記フィルタ部は、抑圧後応答信号の受信部処理帯域以外の周波数帯域を抑圧し、上記フィルタ部からの抑圧後応答信号の電力レベルを調整して低下する可変減衰器を上記サーキュレータ部と上記受信部との間に備えるとともに、
上記受信部は、上記可変減衰器を通過した受信信号と、上記フィルタ部が出力した抑圧後応答信号とを合成することを特徴とするレーダ装置。
【発明の詳細な説明】
【０００１】
【発明の属する技術分野】
この発明は、海難発生時の遭難船で起動されるＳＡＲＴ（Ｓｅａｒｃｈ  Ａｎｄ  Ｒｅｓｃｕｅ  ｒａｄａｒ  Ｔｒａｎｓ−ｐｏｎｄｅｒ，捜索救助用レーダートランスポンダ）からの応答信号を探知するレーダ装置に関するものである。
【０００２】
【従来の技術】
ＳＡＲＴは、船舶などに搭載されたレーダ装置との間で信号を交信する捜索救助用の送受信装置である。海難が発生した遭難船においてＳＡＲＴは起動され、船舶に搭載されたレーダ装置からの質問信号を受信するために受信待受状態になる。
【０００３】
そして、ＳＡＲＴは、船舶が接近してレーダ装置からの質問信号を受信すると、質問信号に呼応して応答信号を送信する。遭難船の乗員を励ますために、遭難船側では質問信号の受信をＳＡＲＴが乗員へ通報する。一方、船舶側では、ＳＡＲＴからの応答信号をレーダ装置が処理して遭難船の位置を把握し、遭難先の救助にあたる。
【０００４】
図６は従来のレーダ装置の構成を示す図である。
図６において、１０１は従来のレーダ装置、１０２は質問信号を生成する送信部、１０３は質問信号を送信するとともに不図示のＳＡＲＴからの応答信号や質問信号のエコーを受信する空中線部、１０５は空中線部１０３で受信した信号を増幅・検波する受信部、１０６は送信部１０２からの質問信号を空中線部１０３へ出力するとともに空中線部１０３からの応答信号を受信部１０５へ出力するサーキュレータ部である。
【０００５】
次に動作について説明する。
図６において、送信部１０２は質問信号を生成する。サーキュレータ部１０６は送信部１０２からの質問信号を空中線部１０３の方向のみへ出力し、空中線部１０３は送信部１０２の質問信号を送信する。
【０００６】
質問信号を受信したＳＡＲＴからの応答信号は、空中線部１０３によって受信され、サーキュレータ部１０６は空中線部１０３からの応答信号を受信部１０５の方向のみへ出力する。この応答信号を受信部１０５が増幅・検波することにより、ＳＡＲＴの位置（レーダ装置１０１からの距離と方位）を映像で把握することができる。
【０００７】
図７はレーダ装置１０１の質問信号、ＳＡＲＴの応答信号および受信部１０５における映像信号をそれぞれ示す図であり、図７（ａ）〜（ｃ）はそれぞれ質問信号、応答信号、映像信号である。
【０００８】
図７（ａ）に示したパルス波の質問信号は、周波数ｆ１［ＭＨｚ］，周波数帯域Δｆ１［ＭＨｚ］で空中線部１０３から送信される。ＳＡＲＴは、質問信号の受信をトリガとして、９５００ＭＨｚから９２００ＭＨｚまでの周波数帯域を応答時間内で１２回繰返し掃引して鋸歯状の応答信号（図７（ｂ））を送信する。
【０００９】
この図７（ｂ）の応答信号は、９２００ＭＨｚから９５００ＭＨｚまでの周波数成分のうち、周波数ｆ１［ＭＨｚ］，周波数帯域Δｆ１［ＭＨｚ］の成分が応答信号から抽出されて、図７（ｃ）に示す等間隔多点の映像信号（ＳＡＲＴコード）が作り出される。
【００１０】
【発明が解決しようとする課題】
従来のレーダ装置は以上のように構成されているので、質問信号のエコーであるシークラッタおよびグランドクラッタが応答信号中に大量に織り込まれており、応答信号のＳＮ比（応答信号対雑音パワー比）が悪く、その捜索能力が抑圧されてしまうという課題があった。
【００１１】
つまり、図７に示したように、質問信号の周波数帯域Δｆ１［ＭＨｚ］と応答信号の周波数帯域Δｆ１［ＭＨｚ］とが同じであるため、応答信号内にシークラッタ、グランドクラッタが含まれてしまう。
【００１２】
この発明は上記のような課題を解決するためになされたもので、サーキュレータ部と受信部との間に質問信号の周波数帯域を抑圧するフィルタ部を設け、応答信号中のシークラッタおよびグランドクラッタなる雑音成分を抑圧してＳＮ比を改善し、捜索能力を向上することができるレーダ装置を構成することを目的とする。
【００１３】
【課題を解決するための手段】
この発明に係るレーダ装置は、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部からの抑圧後応答信号の電力レベルを低下する固定減衰器をサーキュレータ部と受信部との間に備えるとともに、受信部は、上記固定減衰器を通過した受信信号と、上記フィルタ部が出力した抑圧後応答信号とを合成するものである。
【００１４】
この発明に係るレーダ装置は、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部は、抑圧後応答信号の受信部処理帯域以外の周波数帯域を抑圧し、上記フィルタ部からの抑圧後応答信号の電力レベルを低下する固定減衰器をサーキュレータ部と受信部との間に備えるとともに、受信部は、上記固定減衰器を通過した受信信号と、上記フィルタ部が出力した抑圧後応答信号とを合成するようにしたものである。
【００１５】
この発明に係るレーダ装置は、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部からの抑圧後応答信号の電力レベルを調整して低下する可変減衰器をサーキュレータ部と受信部との間に備えるとともに、受信部は、上記可変減衰器を通過した受信信号と、上記フィルタ部が出力した抑圧後応答信号とを合成するものである。
【００１６】
この発明に係るレーダ装置は、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部は、抑圧後応答信号の受信部処理帯域以外の周波数帯域を抑圧し、上記フィルタ部からの抑圧後応答信号の電力レベルを調整して低下する可変減衰器をサーキュレータ部と受信部との間に備えるとともに、受信部は、上記可変減衰器を通過した受信信号と、上記フィルタ部が出力した抑圧後応答信号とを合成するようにしたものである。
【００１７】
【発明の実施の形態】
以下、この発明の実施の一形態を説明する。
参考例１．
図１はこの発明の参考例１によるレーダ装置の構成を示す図である。
図１において、１は参考例１のレーダ装置、２は質問信号を生成する送信部、３は質問信号を送信するとともにＳＡＲＴからの応答信号や質問信号のエコーを受信する空中線部、４は応答信号の周波数帯域から質問信号の周波数帯域を抑圧した抑圧後応答信号を生成して出力するフィルタ部、５は空中線部で受信した信号を増幅・検波する受信部、６は送信部２からの質問信号を空中線部３へ出力するとともに空中線部３からの応答信号をフィルタ部４へ出力するサーキュレータ部である。
【００１８】
次に動作について説明する。
図２はレーダ装置１の質問信号、ＳＡＲＴの応答信号および受信部５における映像信号をそれぞれ示す図であり、図２（ａ）〜（ｃ）はそれぞれ質問信号、応答信号、映像信号である。
図１において、送信部２は周波数ｆ１［ＭＨｚ］，周波数帯域Δｆ１［ＭＨｚ］の質問信号（図２（ａ））を生成する。サーキュレータ部６は送信部２からの質問信号を空中線部３の方向のみへ出力し、空中線部３は送信部２からの質問信号を送信する。
【００１９】
質問信号を受信したＳＡＲＴからの応答信号（図２（ｂ））を質問信号のエコーとともに空中線部３が受信すると、サーキュレータ部６は空中線部３で受信した応答信号をフィルタ部４の方向のみへ出力する。フィルタ部４は、応答信号の周波数帯域から質問信号の周波数帯域を抑圧して出力する（フィルタ部４の出力信号を抑圧後応答信号とする）。
【００２０】
受信部５では、この抑圧後応答信号（ＳＡＲＴの周波数帯域９２００−９５００ＭＨｚの中にあって、かつ質問信号の周波数帯域Δｆ１［ＭＨｚ］以外の周波数帯域Δｆ２［ＭＨｚ］）を増幅・検波することにより、図２（ｃ）の映像信号（ＳＡＲＴコード）が得られ、ＳＡＲＴの位置（レーダ装置１からの距離と方位）を知ることができる。
【００２１】
図３は従来と参考例１との各周波数帯域を比較するための図である。
図３において、従来の場合、応答信号の周波数帯域Δｆ１［ＭＨｚ］は質問信号と同じ周波数帯域なので、海面および地底における質問信号のエコーであるシークラッタおよびグランドクラッタが、応答信号の周波数帯域Δｆ１［ＭＨｚ］に大量に含まれており、ＳＮ比が悪くなっていた。
【００２２】
一方、この参考例１の場合、抑圧後応答信号の周波数帯域Δｆ２［ＭＨｚ］は質問信号の周波数帯域Δｆ１［ＭＨｚ］と異なるため、シークラッタおよびグランドクラッタが抑圧後応答信号中に含まれておらず、ＳＮ比が改善されている。
【００２３】
このように、この参考例１では、応答信号内に含まれるシークラッタおよびグランドクラッタなる雑音成分をフィルタ部４で抑圧しているので、フィルタ部４から出力されるＳＮ比の優れた抑圧後応答信号を受信部５で処理することにより、捜索能力の優れたレーダ装置１の具現化が可能になる。
【００２４】
以上のように、この参考例１によれば、サーキュレータ部６からの応答信号の周波数帯域から質問信号の周波数帯域Δｆ１［ＭＨｚ］を抑圧した抑圧後応答信号を受信部５へ出力するフィルタ部４と、抑圧後応答信号の周波数帯域Δｆ２［ＭＨｚ］を増幅・検波する受信部５とを備えるようにしたので、応答信号内に含まれるシークラッタおよびグランドクラッタなる雑音成分を抑圧できるようになり、ＳＮ比が改善されて捜索能力を向上することができるという効果が得られる。
【００２５】
参考例２．
参考例２の構成は図１と同様であるが、フィルタ部４の作用が異なる。
この参考例２のフィルタ部４は、質問信号の周波数帯域Δｆ１［ＭＨｚ］を抑圧するだけでなく、指定した周波数帯域Δｆ２［ＭＨｚ］（受信部処理帯域）以外の周波数帯域も抑圧する。このようにすることで、他のレーダ装置の質問信号およびその応答信号を大幅に抑圧できるようになり、より明瞭な捜索用のレーダ装置１の具現化が可能となる。
【００２６】
以上のように、この参考例２によれば、指定した周波数帯域Δｆ２［ＭＨｚ］以外の周波数帯域をフィルタ部４が抑圧するようにしたので、他のレーダ装置の質問信号およびその応答信号を大幅に抑圧できるようになり、捜索能力をさらに向上することができるという効果が得られる。
【００２７】
実施の形態１．
この実施の形態１から実施の形態４までは、サーキュレータ部６から受信部５へ空中線部３の受信信号を伝達する経路をフィルタ部４と並列に設けるようにし、レーダ装置１の周辺状況を把握する手法について説明する。
【００２８】
図４はこの発明の実施の形態１によるレーダ装置の構成を示す図である。図１と同一または相当する構成については同一符号を付してある。
図４において、７はサーキュレータ部６と受信部５との間にフィルタ部４と並列に設けられた固定減衰器である。この実施の形態１は、参考例１の構成（図１）に固定減衰器７を追加したものである。
【００２９】
固定減衰器７は、サーキュレータ部６を介して質問信号のエコーや応答信号などの空中線部３の受信信号を受けると、フィルタ部４が出力する抑圧後応答信号などの電力レベルを低下させて受信部５へ出力する。抑圧後応答信号などの電力レベルが低下した受信信号にはレーダ装置１の周辺状況が含まれており、フィルタ部４から出力される抑圧後応答信号と受信部５で合成され、ＳＡＲＴからの応答信号とともにその周辺状況が受信部５によって表示される。
【００３０】
このように、周辺状況を伝達する固定減衰器７側の経路と、ＳＡＲＴからの情報を伝達するフィルタ部４側の経路とを設けることで、ＳＡＲＴの情報とともにレーダ装置１の周辺状況を受信部５で把握することができ、より具体的な情報が得られる。
【００３１】
以上のように、この実施の形態１によれば、フィルタ部４が出力する抑圧後応答信号の電力レベルを低下させる固定減衰器７をサーキュレータ部６と受信部５との間に備え、固定減衰器７から出力される受信信号と、フィルタ部４から出力される抑圧後応答信号とを受信部５で合成するようにしたので、ＳＡＲＴからの応答信号とともにレーダ装置１の周辺状況が受信部５に表示されて、より具体的な情報を提供することができるという効果が得られる。
【００３２】
実施の形態２．
実施の形態１で示した固定減衰器７を参考例２の構成に追加するようにしても良い。つまり、参考例２のフィルタ部４と並列に、サーキュレータ部６と受信部５との間を実施の形態１の固定減衰器７で接続し、フィルタ部４からの抑圧後応答信号と可変減衰器８からの受信信号とを受信部５で合成することにより、参考例２の効果が得られるだけでなく、実施の形態１の効果も得ることができる。
【００３３】
実施の形態３．
図５はこの発明の実施の形態３によるレーダ装置の構成を示す図である。図１と同一または相当する構成については同一符号を付してある。
図５において、８はサーキュレータ部６と受信部５との間に設けられた可変減衰器である。この実施の形態３は、参考例１の構成（図１）に可変減衰器８を追加したものである。
【００３４】
可変減衰器８は、サーキュレータ部６を介して質問信号のエコーや応答信号などの空中線部３の受信信号を受けると、フィルタ部４が出力する抑圧後応答信号などの電力レベルを低下させて受信部５へ出力する。抑圧後応答信号などの電力レベルが低下した受信信号にはレーダ装置１の周辺状況が含まれており、フィルタ部４から出力される抑圧後応答信号と受信部５で合成され、ＳＡＲＴからの応答信号とともにその周辺状況が受信部５によって表示される。
【００３５】
特に減衰量を調整できる可変減衰器８を用いているので、受信信号の電力レベルの低下量を調整して、受信部５での合成を適切に行なうことができるようになる。
【００３６】
以上のように、この実施の形態３によれば、フィルタ部４が出力する抑圧後応答信号の電力レベルを調整して低下させる可変減衰器８をサーキュレータ部６と受信部５との間に備え、可変減衰器８から出力される受信信号と、フィルタ部４から出力される抑圧後応答信号とを受信部５で合成するようにしたので、ＳＡＲＴからの応答信号とともにレーダ装置１の周辺状況が受信部５によってより適切に合成されて、レーダ装置１により具体的な情報を提供することができるという効果が得られる。
【００３７】
実施の形態４．
実施の形態３で示した可変減衰器８を参考例２の構成に追加するようにしても良い。つまり、参考例２のフィルタ部４と並列に、サーキュレータ部６と受信部５との間を実施の形態３の可変減衰器８で接続し、フィルタ部４からの抑圧後応答信号と可変減衰器８からの受信信号とを受信部５で合成することにより、参考例２の効果が得られるだけでなく、実施の形態３の効果も得ることができる。
【００３８】
【発明の効果】
以上のように、この発明によれば、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部からの抑圧後応答信号の電力レベルを低下する固定減衰器をサーキュレータ部と受信部との間に備えるとともに、受信部は、上記固定減衰器を通過した受信信号と、上記フィルタ部が出力した抑圧後応答信号とを合成するようにしたので、応答信号内に含まれるシークラッタおよびグランドクラッタなる雑音成分を抑圧できるようになり、ＳＮ比が改善されて捜索能力を向上することができるという効果と共に、ＳＡＲＴからの信号とともにレーダ装置の周辺状況が受信部に表示されて、より具体的な情報を提供することができるという効果が得られる。
【００３９】
この発明によれば、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部は、抑圧後応答信号の受信部処理帯域以外の周波数帯域を抑圧し、上記フィルタ部からの抑圧後応答信号の電力レベルを低下する固定減衰器をサーキュレータ部と受信部との間に備えるとともに、受信部は、上記固定減衰器を通過した受信信号と、上記フィルタ部が出力した抑圧後応答信号とを合成するので、応答信号内に含まれるシークラッタおよびグランドクラッタなる雑音成分を抑圧できるようになり、ＳＮ比が改善されて捜索能力を向上することができるという効果と、他のレーダ装置の質問信号およびその応答信号を大幅に抑圧できるようになり、捜索能力をさらに向上することができるという効果と、ＳＡＲＴからの信号とともにレーダ装置の周辺状況が受信部に表示されて、より具体的な情報を提供することができるという効果が得られる。
【００４０】
この発明によれば、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部からの抑圧後応答信号の電力レベルを調整して低下する可変減衰器をサーキュレータ部と受信部との間に備えるとともに、受信部は、上記可変減衰器を通過した受信信号と、上記フィルタ部が出力した抑圧後応答信号とを合成するので、応答信号内に含まれるシークラッタおよびグランドクラッタなる雑音成分を抑圧できるようになり、ＳＮ比が改善されて捜索能力を向上することができるという効果と共に、ＳＡＲＴからの信号とともにレーダ装置の周辺状況が受信部によってより適切に合成されて、より具体的な情報を提供することができるという効果が得られる。
【００４１】
この発明によれば、質問信号を生成する送信部と、上記質問信号を送信するとともに、上記質問信号のエコーおよび上記質問信号に呼応したＳＡＲＴからの応答信号を受信する空中線部と、上記応答信号の周波数帯域から上記質問信号の周波数帯域を抑圧した抑圧後応答信号を生成して出力するフィルタ部と、上記質問信号のエコーおよび上記抑圧後応答信号を増幅・検波する受信部と、上記送信部が生成した上記質問信号を上記空中線部へ出力するとともに、上記空中線部が受信した上記応答信号を上記フィルタ部へ出力するサーキュレータ部と、上記フィルタ部は、抑圧後応答信号の受信部処理帯域以外の周波数帯域を抑圧し、上記フィルタ部からの抑圧後応答信号の電力レベルを調整して低下する可変減衰器をサーキュレータ部と受信部との間に備えるとともに、受信部は、上記可変減衰器を通過した受信信号と、上記フィルタ部が出力した抑圧後応答信号とを合成するので、応答信号内に含まれるシークラッタおよびグランドクラッタなる雑音成分を抑圧できるようになり、ＳＮ比が改善されて捜索能力を向上することができるという効果と、他のレーダ装置の質問信号およびその応答信号を大幅に抑圧できるようになり、捜索能力をさらに向上することができるという効果と、ＳＡＲＴからの信号とともにレーダ装置の周辺状況が受信部によってより適切に合成されて、より具体的な情報を提供することができるという効果が得られる。
【図面の簡単な説明】
【図１】この発明の参考例１によるレーダ装置の構成を示す図である。
【図２】参考例１のレーダ装置の質問信号、ＳＡＲＴの応答信号および受信部におけるＳＡＲＴコードをそれぞれ示す図である。
【図３】従来と参考例１との各周波数帯域を比較するための図である。
【図４】この発明の実施の形態１によるレーダ装置の構成を示す図である。
【図５】この発明の実施の形態３によるレーダ装置の構成を示す図である。
【図６】従来のレーダ装置の構成を示す図である。
【図７】従来のレーダ装置の質問信号、ＳＡＲＴの応答信号および受信部におけるＳＡＲＴコードをそれぞれ示す図である。
【符号の説明】
１  レーダ装置、２  送信部、３  空中線部、４  フィルタ部、５  受信部、６  サーキュレータ部、７  固定減衰器、８  可変減衰器。
【図１】
0003621357.tif 000002
【図２】
0003621357.tif 000003
【図３】
0003621357.tif 000004
【図４】
0003621357.tif 000005
【図５】
0003621357.tif 000006
【図６】
0003621357.tif 000007
【図７】
0003621357.tif 000008